(57)【要約】【課題】  「連れ込み」現象を防ぎ、厳密に通行者を把握でき、通行不適格者を完全に排除でき、しかも小型化できるようにする。【解決手段】  鉛直面内で揺動する単一のゲート部材１２ａ，１２ｂが、その開閉駆動機構を内蔵する筐体１４に通行方向の偏った位置で出没自在に取り付けられ、ゲート部材の上昇・下降によって通路を開閉する上下揺動式ゲート装置１０ａ，１０ｂを用いる。ゲート装置を２台、ゲート部材が互いに通路側にくるように対向させ、両方のゲート部材によって唯一人の通行者の滞在のみ許容される空間が形成されるように設置し、筐体に通行判定手段１６，１８と通過検知手段２４を設け、少なくとも一方のゲート部材は必ず閉じているように制御する。【選択図】  図１
2005122306.tif 000002
【特許請求の範囲】
【請求項１】
鉛直面内で揺動可能な単一のゲート部材が、その開閉駆動機構を内蔵する筐体に通行方向の偏った位置にて出没自在に取り付けられ、該ゲート部材の上昇・下降によって通路を遮断・開放する上下揺動式ゲート装置を用い、該上下揺動式ゲート装置を２台、ゲート部材が互いに通路側にくるように対向させて、両方のゲート部材の間隔が唯一人の通行者の滞在のみ許容される長さとなるように設置し、少なくとも一方の筐体に通行判定手段を設置すると共に各ゲート部材の取付位置近傍に通過検知手段を設け、両ゲート部材のうち少なくとも一方は必ず閉じているように制御することにより完全一人通過方式の通行規制を行うことを特徴とするセキュリティー・ゲート・システム。
【請求項２】
両方の筐体の入口側上面に通行判定手段を設置して双方向からの通行を可能とし、通行判定手段により通行者の適格・不適格を判定し、通行者が不適格と判定された場合はゲート部材が閉じたままであり、通行者が適格と判定された場合は入口側のゲート部材が開き、次に通行者を両方の閉じたゲート部材で一旦捕捉した後、出口側のゲート部材を開くように制御する請求項１記載のセキュリティー・ゲート・システム。
【請求項３】
両方の筐体の入口側上面に第１の通行判定手段を、中央部上面に第２の通行判定手段を設置して双方向からの通行を可能とし、第１の通行判定手段により通行者が適格と判定された場合は入口側のゲート部材を開き、通行者を両方の閉じたゲート部材で一旦捕捉した後、第２の通行判定手段により通行者が適格と判定された場合のみ出口側のゲート部材が開いて通行が許可され、それ以外の場合には両ゲート部材の少なくとも一方が閉じていることで通行が阻止されるようにした請求項１記載のセキュリティー・ゲート・システム。
【発明の詳細な説明】
【技術分野】
【０００１】
本発明は、通行規制及び通行管理を行うことができるセキュリティ・ゲート・システムに関し、更に詳しく述べると、２台の上下揺動式のゲート装置を対向設置して、ゲート部材のうち少なくとも一方は必ず閉じているように制御することにより、「連れ込み」現象を防止し、不適格な通行者を完全に排除できるようにした完全一人通過方式のセキュリティ性能に優れたゲート・システムに関するものである。
【背景技術】
【０００２】
入退場を規制し管理する必要がある区域では、通行路の出入口に各種のカードやタグなどにより開閉制御されるゲート装置を設置している。例えば、鉄道の駅などに設置されているゲート装置は、ゲート部材が水平揺動することで通路を遮断・開放する所謂「フラッパゲート」形式である。通行者は切符や定期券などを通行判定手段に提示し、それが適格なものであればゲート部材が開いて通行が可能となり、不適格なものであればゲート部材が閉じて通行が阻止される。
【０００３】
このような方式は、ゲート部材の突出長さに相当する距離以上ゲート部材取付位置から離れた場所に通過検知手段を設置しなければならないため、通路遮断距離（ゲート部材取付位置と通過検知手段設置位置との距離）が長くなる。そのため、適格な通行者に引き続いて他の者が不正に通過する所謂「連れ込み」を阻止できない。適格な通行者が通過検知手段を通過した時点で、大きな通路遮断距離の範囲内に次の通行者が入ってしまうとゲート部材が閉じないからである。
【０００４】
このような問題を解決できるものとして、ゲート部材が鉛直面内で揺動する上下揺動式のゲート装置が開発されている（特許文献１参照）。この方式は、ゲート部材取付位置の近傍に通過検知手段を設置できるため通路遮断距離を非常に短くでき、「連れ込み」を極力防止できる利点がある。しかも、装置として通行方向の長さを短縮でき小型化できるため、図書館など小規模な各種施設内への設置も進められている。
【０００５】
これら既に商品化されているゲート装置は、基本的に通行者を大量且つ迅速に通過させるために設計されており、厳密に通行者を把握し規制する機能は必ずしも十分ではない。しかし、例えば危険物質を取り扱う施設、放射線管理区域、機密情報を取り扱う区域などでは、通過速度よりも厳密に通行者を把握して通行不適格者を完全に排除できるようなセキュリティ性の高いゲート・システムが求められている。
【特許文献１】特開２００１−３６６４号公報
【発明の開示】
【発明が解決しようとする課題】
【０００６】
本発明が解決しようとする課題は、「連れ込み」現象を防ぎ難く、通行不適格者の通行を完全に排除できない点、省スペース化し難い点などである。
【課題を解決するための手段】
【０００７】
本発明は、鉛直面内で揺動可能な単一のゲート部材が、その開閉駆動機構を内蔵する筐体に通行方向の偏った位置にて出没自在に取り付けられ、該ゲート部材の上昇・下降によって通路を遮断・開放する上下揺動式ゲート装置を用い、その上下揺動式ゲート装置を２台、ゲート部材が互いに通路側にくるように対向させて、両方のゲート部材の間隔が唯一人の通行者の滞在のみ許容される長さとなるように設置し、少なくとも一方の筐体に通行判定手段を設置すると共に各ゲート部材の取付位置近傍に通過検知手段を設け、両ゲート部材のうち少なくとも一方は必ず閉じているように制御することにより完全一人通過方式の通行規制を行うことを特徴とするセキュリティー・ゲート・システムである。
【０００８】
ここで、両方の筐体の入口側上面に通行判定手段を設置し、２台の同種の上下揺動式のゲート装置を中心対称に設置することによって、双方向からの通行を可能とする構成が好ましい。通行判定手段により通行者の適格・不適格を判定し、通行者が不適格と判定された場合はゲート部材が閉じたままであり、通行者が適格と判定された場合は入口側のゲート部材が開き、次に通行者を両方の閉じたゲート部材で一旦捕捉した後、出口側のゲート部材を開くように制御する。
【０００９】
あるいは、両方の筐体の入口側上面に第１の通行判定手段を、中央部上面に第２の通行判定手段を設置し、２台の同種の上下揺動式のゲート装置を中心対称に設置することで、双方向からの通行を可能とする。第１の通行判定手段により通行者が適格と判定された場合は入口側のゲート部材を開き、通行者を両方の閉じたゲート部材で一旦捕捉した後、第２の通行判定手段により通行者が適格と判定された場合のみ出口側のゲート部材が開いて通行を許可するようにし、それ以外の場合には両ゲート部材の少なくとも一方が閉じて通行を阻止するように制御することもできる。このようにすると、２段階（２種類）の判定の結果に基づき、両方が適格である場合のみ通行が許可されるように制御できる。
【発明の効果】
【００１０】
本発明に係るセキュリティー・ゲート・システムでは、通行者が滞在できる最小間隔で配置された両ゲート部材のうち少なくとも一方は必ず閉じているように（２個のゲート部材が同時には開放されないように）制御することで通行規制を行うように構成されているので、「連れ込み」現象を防ぎ、厳密に通行者を把握して通行不適格者を完全に排除できる。しかも偏った位置に取り付けたゲート部材が上下揺動する片側開閉式のゲート装置を２台、対向設置しているので、進行方向長さを最小にし小型化を図ることができ、製作コストも低減できる。
【発明を実施するための最良の形態】
【００１１】
本発明に係るセキュリティー・ゲート・システムでは、鉛直面内で揺動可能な単一のゲート部材が、その開閉駆動機構を内蔵する筐体に通行方向の偏った位置にて出没自在に取り付けられ、該ゲート部材の上昇・下降によって通路を遮断・開放する片側開閉方式の上下揺動式ゲート装置を用いる。このような上下揺動式ゲート装置を２台、ゲート部材が互いに通路側にくるように対向設置する。このとき、両方のゲート部材の間隔が唯一人の通行者の滞在のみ許容される長さとなるように設定する。両方の筐体の入口側上面に第１の通行判定手段を、中央部上面に第２の通行判定手段を設置すると共に各ゲート部材の取付位置近傍に通過検知手段を設ける。そして、第１の通行判定手段により通行者が適格と判定された場合は入口側のゲート部材を開き、通行者を両方の閉じたゲート部材で一旦捕捉した後、第２の通行判定手段により通行者が適格と判定された場合のみ出口側のゲート部材が開いて通行が許可され、それ以外の場合には両ゲート部材の少なくとも一方が閉じて通行が阻止されるようの制御する。このシステムでは、２台の同種の上下揺動式のゲート装置を中心対称に設置されているために、双方向からの通行が可能となる。
【００１２】
本発明は、従来１回しか行わなかったゲート部材による通行規制を、２回にわたって行い、その過程において、通行者一人分の間隔をもって前後で突出するゲート部材によって通行者を一人だけ捕捉するようにし、その後に進行側のゲート部材を開く動作を行わせることにより、通行者は一人ずつしか通過できず、「連れ込み」現象を防ぐ機能をもたせることができる。また、基本的に同一構造の２台の上下揺動式ゲート装置を対向設置する構造であるので、小型化に適し、また双方向の通行が可能となるために設置台数、設置スペースが少なくて済む。
【実施例】
【００１３】
図１は本発明に係るセキュリティ・ゲート・システムの一実施例を示す平面図であり、図２はその正面図、図３はその側面図である。このセキュリティー・ゲート・システムでは、２台の上下揺動式ゲート装置１０ａ，１０ｂを組み合わせる。
【００１４】
各上下揺動式ゲート装置１０ａ，１０ｂは、鉛直面内で水平方向と垂直方向の範囲で揺動可能な単一のゲート部材１２ａ，１２ｂが、その開閉駆動機構を内蔵する筐体１４に通行方向の偏った位置にて出没自在に取り付けられ、該ゲート部材１２ａ，１２ｂの上昇・下降によって通路を遮断・開放する構造である。ここでゲート部材１２ａ，１２ｂの取付位置は、中央から距離Ｌ／２だけずれた位置とする。なお、距離Ｌは、通行者一人分の占有に必要な長さである。このような上下揺動式ゲート装置１０ａ，１０ｂを２台、ゲート部材１２ａ，１２ｂが互いに通路側にくるように幅Ｗだけ離し対向させて設置する。幅Ｗは、ゲート部材１２ａ，１２ｂの突出長さよりも若干大きめに設定されており、通行者一人分の通行に必要な幅であることはいうまでもない。上下揺動式ゲート装置１０ａ，１０ｂの間隔はＷ、前後のゲート部材１２ａ，１２ｂの間隔はＬとなり、これらによって囲まれることで唯一人の通行者の滞在のみ許容される空間ｓが形成される。
【００１５】
両方の上下揺動式ゲート装置１０ａ，１０ｂについて、筐体１４の入口側上面に第１の通行判定手段１６を、中央部上面に第２の通行判定手段１８を設置する。例えば、第１の通行判定手段１６は磁気カードや非接触ＩＣカードなどを読み取るカードリーダなど一般的なタイプとし、第２の通行判定手段１８は暗証番号を入力するキーボード、放射線量を測定する放射線モニタ、指紋をチェックする指紋認識装置など設置箇所特有のタイプとするのがよい。また第１の通行判定手段１６の近傍にその状態表示ランプ２０を設ける。筐体１４の入口側前面には進行表示ランプ２２を設け（図２参照）、通行可能・禁止を表示する。更に、筐体１４の内側面には５箇所の通過検知手段２４を組み込む。ここでは、ゲート部材１２ａ，１２ｂを挟むようにその前後に設けると共に、中央部に設けている。通過検知手段２４は、例えば一方の筐体に発光部を設け、他方の筐体に受光部を設けて光線を送受する構成、あるいは一方の筐体に発光部と受光部を対として設け、他方の筐体に反射体を設けて光線を送受する構成などでよい。通行者が通過する時は、光線の通過が遮断され受光部からの出力が無くなり、通行者が通過する前後は、光線が通過し受光部から出力が生じている。従って、５箇所の通過検知手段２４からの出力の組み合わせによって、その時点での通行者の挙動（位置）を検知できる。
【００１６】
次に、このセキュリティ・ゲート・システムの動作について説明する。待機時（非通行時）、両方のゲート部材１２ａ，１２ｂは閉じられて（上がったままとなって）いる。進行表示ランプ２２が点灯していれば、通行可能な状態である。通行者が携帯しているＩＣカードなどを提示して第１の通行判定手段１６により通行者が適格と判定された場合には入口側のゲート部材１２ａが開く（下がる）。通行者は、入口側のゲート部材１２ａの位置を通過するが、出口側の閉じているゲート部材１２ｂで通行は妨げられる。通行者の動きと位置は５箇所の通過検知手段２４で検知される。通行者が両方のゲート部材１２ａ，１２ｂの間に入った時点で、入口側のゲート部材１２ａが閉じる（上がる）。これによって、通行者は前後２個のゲート部材１２ａ，１２ｂによって、それらの間の空間に一旦閉じ込められる。その後、第２の通行判定手段１８により通行者が適格と判定された場合のみ出口側のゲート部材１２ｂが開いて（下がって）進路が開放され、通行が許可される。
【００１７】
第１の通行判定手段１６により通行者が不適格と判定された場合には入口側のゲート部材１２ａは開かず通路は遮断されたままであるので通行できない。第１の通行判定手段１６により通行者が適格と判定されると、前記のように通行者は入口側のゲート部材１２ａの位置を通過し、２個のゲート部材１２ａ，１２ｂでそれらの間の空間に一旦閉じ込められるが、第２の通行判定手段１８により通行者が不適格と判定されると、出口側のゲート部材１２ｂは開かず（上がったままで）通路は遮断され続け、逆に入口側のゲート部材１２ａが開いて（下がって）退路を開放し、通行者の退出を促す。
【００１８】
上記の過程において、第１の通行判定手段１６の判定結果によって状態表示ランプ２０が点灯・消灯し、あるいは異なる色のランプが点灯し、結果を表示する。第２の通行判定手段１８の判定結果によって動作する第２の状態表示ランプを設置してもよい。また音声ガイド装置を設置して、通行者の動作・行動をアシストしたり、その時点での状況を報知するような構成も可能である。
【００１９】
上記の実施例は、第１の通行判定手段１６と第２の通行判定手段１８の両方を設置した例であるが、第１の通行判定手段１６のみ設置する構成も可能である。その場合もゲート部材１２ａ，１２ｂの動作は、基本的に前記実施例と同様であり、通行者が２個のゲート部材１２ａ，１２ｂで一旦閉じ込められた後、出口側のゲート部材１２ｂが下がって通路が開放されるようになる。更に他の実施例として、片側には第１及び第２の通行判定手段を設置し、反対側には第１の通行判定手段のみ設置する構成も可能である。
【００２０】
上記のような本発明のセキュリティ・ゲート・システムは、上下揺動式ゲート装置を両側に中心対称的に配置しているので、入口と出口の想定は、反対方向から見ても同じ条件となり、それ故、双方向からの通行が可能となる。勿論、通行判定手段を片側の筐体にのみ設置して、一方向のみ通行可能な構成も可能である。
【図面の簡単な説明】
【００２１】
【図１】本発明に係るセキュリティ・ゲート・システムの一実施例を示す平面図。
【図２】その正面図。
【図３】その側面図。
【符号の説明】
【００２２】
１０ａ，１０ｂ  上下揺動式ゲート装置
１２ａ，１２ｂ  ゲート部材
１４  筐体
１６  第１の判定手段
１８  第２の判定手段
２０  状態表示ランプ
２２  進行表示ランプ
２４  通過検知手段
【図１】
2005122306.tif 000003
【図２】
2005122306.tif 000004
【図３】
2005122306.tif 000005